(57)【特許請求の範囲】
【請求項１】
吸着パッド等からなる繰り出しシステム、ニップローラ、等間隔で一枚ずつ繰り出される枚葉印刷紙の前及び／又は後の端を読み取る第一のセンサ、枚葉印刷紙表面及び／又は裏面へ樹脂フィルムシートを被覆する少なくとも一対のヒートローラ、通過する枚葉印刷紙の厚さを測定する第二のセンサ、被覆を完了した枚葉印刷紙を牽引して下流へ排出するニップローラの順で構成されたラミネータの重送処理システムであり、前記第二のセンサが複数枚重なり合い通過する枚葉印刷紙の厚みを検知した場合に前記ラミネータの速度を減速すると共に前記被覆を完了した枚葉印刷紙を牽引して下流へ排出するニップローラから下流の工程を停止させることを特徴としたラミネータの重送処理システム。
【発明の詳細な説明】
【技術分野】
【０００１】  本発明は枚葉印刷紙の表面に連続的に樹脂フィルムシートを被覆するラミネータに関する。
【背景技術】
【０００２】  従来のラミネータは、枚葉印刷紙を一枚ずつ端部を重ねるようにして給紙し、連続的に樹脂フィルムシートを被覆した後に前記重なる端部の樹脂フィルムシートを切り離して、枚葉の状態に戻した後に断裁や折り等の下流工程へ引き継ぐものであった。  然るに最近は特開２０１０−１２７６１号公報の「情報通信体の製造方法」等に見られるように、枚葉印刷紙を間隔をおいて給紙すると共に、ロールから繰り出される樹脂フィルムシートを連続的に被覆することにより、長尺状態になった枚葉印刷紙を切り離さずに下流の工程へ排出するものが見られるようになった。
【先行技術文献】
【０００３】
【特許文献】
【特許文献】特開２０１０−１２７６１号公報
【発明の概要】
【発明が解決しようとする課題】
【０００４】  前記情報通信体の製造方法によれば、印刷紙をセットすれば一連の流れにより情報通信体を最終形態まで仕上げるものである。即ち、枚葉印刷紙を樹脂フィルムシートで連続的に被覆するため全体の流れが連続状態となり、そのため連続的な加工が可能であり極めて至便である。然るに誤って枚葉印刷紙が２枚以上給紙された場合（重送）にその部分を確認、除去する手立てがないため、仮にそのようなことが発生すると製造中にジャミング等の支障が起こり、作業を中断して時間を掛け復帰させる必要がある。  本発明は、既述のように、枚葉印刷紙を連続状態に被覆して下流の工程へ排出するラミネータ等において、誤って複数の枚葉印刷紙が給紙された場合に支障が起こることがないような処理システムを提供するものである。
【課題を解決するための手段】
【０００５】  上記目的を達成するために、本発明のラミネータの重送処理システムは、吸着パッド等からなる繰り出しシステム、ニップローラ、等間隔で一枚ずつ繰り出される枚葉印刷紙の前及び／又は後の端を読み取る第一のセンサ、枚葉印刷紙表面及び／又は裏面へ樹脂フィルムシートを被覆する少なくとも一対のヒートローラ、通過する枚葉印刷紙の厚さを測定する第二のセンサ、被覆を完了した枚葉印刷紙を牽引して下流へ排出するニップローラの順で構成されたラミネータの重送処理システムであり、前記第二のセンサが複数枚重なり合い通過する枚葉印刷紙の厚みを検知した場合に前記ラミネータの速度を減速すると共に前記被覆を完了した枚葉印刷紙を牽引して下流へ排出するニップローラから下流の工程を停止させることを特徴としている。【０００６】  前記各センサについては、ヒートローラの上流側においては透過型の光電センサが好適に使用でき、またヒートローラの下流側においては、バックアップローラに検知ローラを押し当てて通過する印刷紙の厚さギャップを感知する接触式のセンサ等が好適に使用できるが、他の方式を採用しても構わない。【０００７】枚葉印刷紙としては上質紙、マットコート紙、グロスコート紙、合成紙等公知の種類の用紙を使用することができる。また厚みに関しても任意の斤量のものを目的に合わせて適宜選択すればよい。【０００８】  給紙手段としてはフィードロールによる手段や、吸着パッドで吸着して繰り出す方式等公知の方式を採用することができる。【０００９】枚葉印刷紙の表裏面に被覆される樹脂フィルムシートとしては、例えばＯＰＰに公知の感熱接着剤を予め形成したサーマルラミネートタイプのフィルムが好適に使用することができるが、ドライラミネートタイプでも構わない。【００１０】枚葉印刷紙の表裏面に樹脂フィルムシートを被覆するヒートローラは少なくとも一対の構成であり、例えば上側ローラを加熱手段を組み込んだ金属ローラとし下側を上側ローラの押圧を受け止めるために表面をゴムで形成したバックアップローラで構成しても構わない。また前記構成以外にも、例えば上下とも表面にゴムを形成したローラの内部に加熱手段を組み込んだヒートローラで構成しても構わない。【００１１】  ヒートローラの下流側に配置される第二のセンサは、ヒートローラとヒートローラにより被覆を完了した枚葉印刷紙を牽引して下流へ排出するニップローラとの間に配置される。なおこの位置には他にスリッタや筋入れ装置等が配置されるが、それら他の装置と前後して配置しても或いは同列に配置しても構わない。【００１２】  既述のニップローラから排出された連続的に樹脂フィルムシートを被覆された枚葉印刷紙はそのまま下流の加工工程へ送られても、或いはワインダ等に巻き取られて異なる加工システムへ供給されても構わない。
【発明の効果】
【００１３】  複数枚の枚葉印刷紙が重なり合って繰り出される重送を第二のセンサが感知すると、例えば警告音を発し駆動系のモーターに低速回転の指示がなされる。作業オペレータは前記警告音とシステムの動作変化から重送を認識し、前記重送部分の不良製品を除外して後続の正常製品と先行する正常製品を接続して通常の作業に復帰する。前記復帰作業を低速で流れている間に行うことができるので、時間的、精神的に余裕が生まれて、作業を中断することなく正確に一人で復帰作業を行うことができる。
【図面の簡単な説明】
【図１】本発明が適用されるシステムの動作を分かりやすく説明する要部概略図である。
【図２】印刷紙の被覆に使用する樹脂フィルムシートの部分拡大断面図である。
【図３】（Ａ）及び（Ｂ）は厚さ検知装置Ｘの原理を説明する要部概略図である。
【図４】（Ａ）及び（Ｂ）は本発明のラミネータの２枚差し処理システムの原理を説明する要部概略図である。
【発明を実施するための形態】
【００１４】  以下、本発明の実施の形態を図面に基づいて具体的に説明する。  まず本発明が適用されるラミネータの動作について説明する。  図１に示すように、樹脂フィルムシートＦを被覆される枚葉印刷紙Ｓは図中左端の工程最上流に積載される。そして例えば吸着パッド１からなる繰り出しシステムにより、最上面から一枚ずつ等間隔をおいて吸着され右方向の下流へ繰り出される。そして前記繰り出された枚葉印刷紙Ｓはニップローラ２ａ、２ｂに保持されると、後述する光電センサ３を通過してさらに下流の少なくとも一対からなるヒートローラ４ａ、４ｂへと送られる。前記ヒートローラ４ａ、４ｂでは上方に待機しているロールから繰り出される樹脂フィルムシートＦと枚葉印刷紙Ｓの被覆予定面とが整合されて、加熱・加圧処理を施すことにより両者を強固に接着する。
【００１５】  なお前記樹脂フィルムシートＦは、図２に示すように、基材１０の一方の面に公知の感熱接着剤層１１が形成されたサーマルラミネート方に対応したもので、残るもう一方の面には使用目的に合わせてコロナ放電やプラズマ処理等の酸化処理等の表面処理が施されていても構わない。また、既述のサーマルラミネート方以外にドライラミネート方に対応した樹脂フィルムシートを使用することもできる。その場合、ヒートローラ４ａ、４ｂに至る通過ラインの任意の箇所に乾燥装置を追加すればよい。
【００１６】  樹脂フィルムシートＦを被覆された枚葉印刷紙Ｓはヒートローラ４ａ、４ｂから排出された後に、右側に配置されている接触式センサ５ａとバックアップローラ５ｂとの組合せからなる厚さ検知装置Ｘを通過して、さらにニップローラ６ａ、６ｂにより牽引されて、右側の加工工程へと送り出される。前記厚さ検知装置Ｘは図３（Ａ）に示すように、センサ本体の５ａとバックアップローラ５ｂとからなり、同図（Ｂ）に示すように、両者間を通過する印刷紙Ｓの厚さをバックアップローラ５ｂと厚さセンサ本体５ａから突き出したローラの押し戻し量から読み取り、通常の設定範囲（印刷紙１枚分の厚み）よりも押し戻し量が増えた場合に重送を確認し警告してくれるものである。
【００１７】  次に本発明のラミネータの２枚差し処理システムの具体的な内容を説明する。  図４（Ａ）に示すように、当初図中左側から枚葉印刷紙Ｓ３が吸着パッド１によりニップローラ２ａ、２ｂに送り込まれて待機している。そして先行する枚葉印刷紙Ｓ２の後端の通過をセンサ３が読み取ると同時にタイマーが働き、丁度枚葉印刷紙Ｓ２の後端がヒートローラ４ａ、４ｂの接点に差し掛かる頃合を見計り、ニップローラ２ａ、２ｂに後続の枚葉印刷紙Ｓ３を送り出す指令を駆動系に発信する。このような電気的な制御により先行する枚葉印刷紙Ｓ１と後続の枚葉印刷紙Ｓ２の間隔が均等に保たれる。
【００１８】  前記のように搬送される各枚葉印刷紙Ｓ１、Ｓ２及びＳ３は上方に待機しているロールから繰り出される樹脂フィルムシートＦとヒートローラ４ａ、４ｂにより被覆予定面で整合されて剥離不能に連続的にラミネートされる。そのためヒートローラ４ａ、４ｂ以後の各枚葉印刷紙Ｓは樹脂フィルムシートＦにより連続状態になり下流の工程に送り出される。
【００１９】  このような流れの中で、例えば図４（Ｂ）に示すように、２枚誤って送り出された枚葉印刷紙Ｓ４がヒートローラ４ａ、４ｂを通過すると、下流の厚さ検知装置Ｘにより重送が検知され、それと同時に一対のヒートローラ４ａ、４ｂ及びニップローラ６ａ、６ｂの速度を遅くする指令が駆動系に伝達されると共にニップローラ６ａ、６ｂより下流の工程を停止させるのである。従って作業オペレータは時間的に余裕が生まれ、落ち着いて正確に２枚重なっている枚葉印刷紙Ｓ４を適当な位置でカット除去しておいて、その後低速で送り出されてくる後続の枚葉印刷紙Ｓ５を先行の枚葉印刷紙Ｓ３と適当な場所で接続することができるのである。
【００２０】  前記復帰作業の間でも枚葉印刷紙Ｓ５がヒートローラ４ａ、４ｂを通過するタイミングに合わせて、光電センサ３のタイマーカウントにより後続の印刷紙Ｓ６が自動的に送り出されるため、オペレータは手を煩わされることなく一人で余裕を持って復帰作業に取り掛かることができるのである。そして復帰完了後通常の作業速度にもどせばよいのである。
【００２１】  なお、本発明は、前記実施例に限られるものではない。  例えば、樹脂フィルムシートロールは図１中に点線で示すように下方にも配置しておいて、枚葉印刷紙Ｓの表裏面を同時に被覆するようにしても構わない。  また、第一のセンサ３を通過した枚葉印刷紙Ｓの後端のみならず前端を読み取っても構わない。  さらに、第一のセンサ３を通過後タイマーやクロックパルスジェネレーション等により任意の時間経過後に後続の用紙を繰り出せばよいのだが、その他の手段として任意の駆動系の軸にロータリエンコーダ等のパルス発信器等を取り付けてパルスをカウントして送り出すようにしても構わない。  さらにまた、厚さ検知装置に関しても公知の他の手段を使用しても構わない。
【符号の説明】
【００２２】  Ｓ、Ｓ１、Ｓ２、Ｓ３、Ｓ４、Ｓ５、Ｓ６  枚葉印刷紙  Ｆ  樹脂フィルムシート  Ｘ  厚さ検知装置  １  吸着パッド  ２ａ、２ｂ、６ａ，６ｂ  ニップローラ  ３  光電センサ  ４ａ、４ｂ  ヒートローラ  ５ａ  接触式センサ  ５ｂ  バックアップローラ  １０  基材  １１  感熱接着剤層
【図１】
0005796807.tif 000002
【図２】
0005796807.tif 000003
【図３】
0005796807.tif 000004
【図４】
0005796807.tif 000005